(57)【要約】【課題】ＡＣアダプタを設けることなく増幅器に動作電源を供給でき、持ち運びが容易な増幅器付のアンテナ装置を提供する。【解決手段】アンテナ装置１０は、アンテナ１１、１２、混合器１３、増幅器１４からなっている。アンテナ１１、１２で受信したＴＶ信号は、混合器１３で混合した後、増幅器１４で増幅し、同軸ケーブル１５を介してパソコン２０へ送出する。パソコン２０は、受信したＴＶ信号の中から指定チャンネルをチューナ２１で受信し、復調して表示パネルに表示する。パソコン２０は、データと共に直流電源を伝送できるＩＥＥＥ１３９４、ＵＳＢ等のホットプラグ端子２２を備えている。パソコン２０のホットプラグ端子２２とアンテナ装置１０との間を信号ケーブル２３により接続し、パソコン２０から信号ケーブル２３内の電源ラインを介してアンテナ装置１０の増幅器１４に直流電源を供給する。【選択図】　　図１
2004072387.tif 000002
【特許請求の範囲】
【請求項１】
アンテナと、前記アンテナにより受信した信号を増幅する増幅器と、外部の電子機器から直流電源が供給されるホットプラグ端子とを具備し、当該ホットプラグ端子から前記増幅器の電源を供給することを特徴とするアンテナ装置。
【請求項２】
ＵＨＦアンテナ及びＶＨＦアンテナと、前記ＵＨＦアンテナ及びＶＨＦアンテナの受信信号を混合する混合器と、前記混合器により混合された信号を増幅する増幅器と、前記増幅器が接続される電子機器のホットプラグ端子より電源ラインを介して出力される直流電源を前記増幅器に供給する電源供給手段とを具備したことを特徴とするアンテナ装置。
【請求項３】
２本のアンテナと、前記２本のアンテナによりダイバーシチィ受信を行なうダイバーシチィユニットと、前記ダイバーシチィユニットの出力信号を増幅する増幅器と、前記増幅器が接続される電子機器のホットプラグ端子より電源ラインを介して出力される直流電源を前記増幅器に供給する電源供給手段とを具備したことを特徴とするアンテナ装置。
【請求項４】
アンテナと、前記アンテナにより受信した信号を増幅する増幅器と、前記増幅器の利得を制御する制御部と、前記増幅器が接続される電子機器のホットプラグ端子より電源ラインを介して出力される直流電源を前記制御部及び増幅器に供給する電源供給手段とを具備したことを特徴とするアンテナ装置。
【請求項５】
周波数帯域の異なる２本のアンテナと、前記２本のアンテのナの指向性を切替える指向性切替器と、前記指向性切替器を介して出力される信号を増幅する増幅器と、前記指向性切替器の切替動作及び増幅器の利得を制御する制御部と、前記増幅器が接続される電子機器のホットプラグ端子より電源ラインを介して出力される直流電源を前記制御部及び増幅器に供給する電源供給手段とを具備したことを特徴とするアンテナ装置。
【請求項６】
２本のアンテナと、前記２本のアンテナによりダイバーシチィ受信を行なうダイバーシチィユニットと、前記ダイバーシチィユニットの出力信号を増幅する増幅器と、前記ダイバーシチィユニットの動作及び増幅器の利得を制御する制御部と、前記増幅器が接続される電子機器のホットプラグ端子より電源ラインを介して出力される直流電源を前記制御部及び増幅器に供給する電源供給手段とを具備したことを特徴とするアンテナ装置。
【請求項７】
前記制御部は、前記電子機器のホットプラグ端子からコントロールラインを介して与えられる制御指令に従って動作することを特徴とする請求項４、５又は６記載のアンテナ装置。
【請求項８】
前記増幅器に接続され、前記電源供給手段により供給される電源により動作するチューナを備えたことを特徴とする請求項１ないし７の何れかに記載のアンテナ装置。
【発明の詳細な説明】
【０００１】
【発明の属する技術分野】
本発明は、アンテナ及びこのアンテナで受信した信号を増幅する増幅器を備えた可搬型のアンテナ装置に関する。
【０００２】
【従来の技術】
近年、パーソナルコンピュータ（以下、パソコンと略称する）においては、チューナを備え、ＴＶ放送を受信できるようにしたものがある。上記チューナ付のパソコンでは、外部にアンテナを設け、このアンテナで受信したＴＶ信号をチューナにより選局して表示装置に表示している。この場合、ノート形のパソコンでチューナを備えているものでは、アンテナとしては可搬型のものが一般に使用される。
【０００３】
上記ノートパソコン等に使用される可搬型のアンテナでは、一般に増幅器を備え、アンテナで受信した信号を増幅する構成となっている。
上記増幅器を備えた可搬型のアンテナ装置は、増幅器に動作電源を供給する必要があるため、従来ではＡＣアダプタによりＡＣ電源を直流電源に電圧に変換している。
【０００４】
【発明が解決しようとする課題】
上記のように増幅器を備えたアンテナ装置において、ＡＣアダプタを設けて増幅器に動作電源を供給するようにした場合、ＡＣ電源ラインの届く範囲でアンテナの移動範囲が限定されてしまうという問題があり、また、モバイル用途として持ち運ぶ際、ＡＣアダプタ自体の重量、サイズともに許容範囲とは言い難いものであり、増幅器付アンテナを持ち運ぶということが容易ではなかった。
【０００５】
本発明は上記の課題を解決するためになされたもので、ＡＣアダプタを設けることなく増幅器に動作電源を供給でき、持ち運びが容易な増幅器付のアンテナ装置を提供することを目的とする。
【０００６】
【課題を解決するための手段】
本発明に係るアンテナ装置は、アンテナと、前記アンテナにより受信した信号を増幅する増幅器と、外部の電子機器から直流電源が供給されるホットプラグ端子とを具備し、当該ホットプラグ端子から前記増幅器の電源を供給することを特徴とする。
【０００７】
上記のようにホットプラグ端子を利用してアンテナ装置の増幅器に動作電源を供給することにより、アンテナ装置にＡＣアダプタを設ける必要がなく、このためアンテナの移動範囲を広くできると共にアンテナ装置の重量を著しく軽減して持ち運びが容易になる。
【０００８】
また、本発明に係るアンテナ装置は、アンテナと、前記アンテナにより受信した信号を増幅する増幅器と、前記増幅器の利得を制御する制御部と、前記増幅器が接続される電子機器のホットプラグ端子より電源ラインを介して出力される直流電源を前記制御部及び増幅器に供給する電源供給手段とを具備したことを特徴とする。
上記のようにアンテナ装置内に制御部を設けることにより、指向性の制御や増幅器の利得制御を確実に行なうことが可能になる。
【０００９】
【発明の実施の形態】
以下、図面を参照して本発明の実施形態を説明する。
（第１実施形態）
図１は、本発明の第１実施形態に係るアンテナ装置及びパソコンとの接続関係を示すブロック図である。図１に示すようにアンテナ装置１０は、２つのアンテナ１１、１２、混合器１３、増幅器１４からなっている。上記アンテナ１１、１２は、周波数帯の異なるＴＶ電波Ｆ１、Ｆ２を受信するためのもので、それぞれ受信周波数帯域がそれぞれＦ１、Ｆ２の電波に合わせて設定されている。上記アンテナ１１、１２としては、例えばＵＨＦアンテナとＶＨＦアンテナが使用される。また、アンテナ装置１０は、例えばＩＥＥＥ１３９４、ＵＳＢ等のホットプラグ端子９を備え、外部からホットプラグ端子９に与えられる直流電源を増幅器１４の電源端子に供給するようになっている。
【００１０】
上記アンテナ１１、１２で受信された信号は、混合器１３で混合した後、増幅器１４で増幅して搬送波とノイズの比（Ｃ／Ｎ）を向上し、外部に出力する。上記増幅器１４で増幅した信号は、同軸ケーブル１５を介して電子機器例えばノート形パソコン２０のチューナ２１に入力される。パソコン２０は、アンテナ装置１０で受信したＴＶ信号の中から指定チャンネルのＴＶ信号をチューナ２１で受信し、復調して表示パネル（図示せず）に表示するＴＶ受信機能を備えている。
【００１１】
また、パソコン２０は、例えばＩＥＥＥ１３９４、ＵＳＢ等のホットプラグ端子２２を備えている。上記ＩＥＥＥ１３９４は、ＩＥＥＥ（米国電気電子学会）が制定したシリアル・インターフェースの規格であり、電源線を含む６芯ケーブルを使用し、転送速度が１００Ｍｂｐｓ以上で、データと共に直流電源を伝送することができる。また、ＵＳＢ（Ｕｎｉｖｅｒｓａｌ　Ｓｅｒｉａｌ　ＢＵＳ）は、パソコン用のシリアル・インターフェースの規格であり、転送速度が１２Ｍｂｐｓ（フルスピー・ドモード）と１．５Ｍｂｐｓ（ロースピードモード）で、データと共に直流電源を伝送することができる。上記ＵＳＢのケーブルは、信号線として１組のツイスト・ペア線と２本の電源線で構成され、その外側がシールドされている。
【００１２】
上記パソコン２０は、内部に電源部（図示せず）を備え、この電源部において、例えば交流電源を整流して直流電圧を生成し、内部回路に動作電圧として供給する。また、パソコン２０は、内部の処理回路を上記ホットプラグ端子２２に接続すると共に、上記電源部で生成した直流電源をホットプラグ端子２２の特定ピンに供給する。
【００１３】
そして、上記パソコン２０のホットプラグ端子２２とアンテナ装置１０のホットプラグ端子９との間を信号ケーブル２３により接続し、パソコン２０から信号ケーブル２３内の電源ラインを介してアンテナ装置１０の増幅器１４に直流電源を供給する。増幅器１４は、上記パソコン２０から供給される電源により動作し、ＴＶ信号を増幅する。
【００１４】
上記のようにパソコン２０のホットプラグ端子２２及びアンテナ装置１０のホットプラグ端子９を利用してアンテナ装置１０の増幅器１４に動作電源を供給することにより、アンテナ装置１０にＡＣアダプタを設ける必要がなく、アンテナの移動範囲を広くできると共にアンテナ装置１０の重量を著しく軽減して持ち運びが容易になる。アンテナ装置１０を持ち運ぶ際に、ＡＣアダプタが無いということは、モバイル機器のコンセプト、すなわち、いつでも、どこでも、誰にでも、というコンセプトを損なうことがない。
【００１５】
なお、上記第１実施形態では、受信周波数帯域が異なる２つのアンテナ１１、１２を設けた場合について示したが、１つのアンテナを設けた場合であっても同様にして実施し得ることは勿論である。
【００１６】
（第２実施形態）
図２は、本発明の第２実施形態に係るアンテナ装置及びパソコンとの接続関係を示すブロック図である。
この第２実施形態では、図１に示した第１実施形態において、アンテナ１１、１２として同一周波数帯のもの、例えばＵＨＦ帯の電波Ｆ１を受信するＵＨＦアンテナを使用すると共に、混合器１３に代えてダイバーシチィユニット１６を設けてダイバーシチィ受信を行なうように構成したものである。上記ダイバーシチィユニット１６は、２本のアンテナ１１、１２によりダイバーシチィ受信を行ない、その受信信号を増幅器１４に出力する。
なお、その他の構成は、第１実施形態と同じであるので、詳細な説明は省略する。
【００１７】
アンテナ１１、１２の受信状態の評価は、一般にＣ／Ｎによって規定されるが、屋内等の伝播状況の悪い環境では、指向性を有するアンテナにおいてはＣ／Ｎが非常に低い値を示す場合がある。そこで、この第２実施形態では、同一周波数帯の２本のアンテナ１１、１２を用いてダイバーシチィ受信を行なうことでＣ／Ｎを向上している。
上記のようにダイバーシチィ受信を行なうことによりＣ／Ｎを向上でき、屋内等の伝播状況の悪い環境においても、質の良い受信が可能になる。
【００１８】
（第３実施形態）
図３は、本発明の第３実施形態に係るアンテナ装置及びパソコンとの接続関係を示すブロック図である。
この第３実施形態では、図１に示した第１実施形態において、混合器１３に代えて指向性切替器１７を使用すると共に、この指向性切替器１７及び増幅器１４の動作を制御する制御部例えばマイクロコンピュータ（以下、マイコンと略称する）１８を設けたものである。上記増幅器１４は、増幅した信号を検波する検波器１９を内部に備えており、検波器１９の出力信号をマイコン１８に入力する。
【００１９】
上記マイコン１８は、信号ケーブル２３を介してパソコン２０のホットプラグ端子２２と接続する。パソコン２０は、ホットプラグ端子２２より信号ケーブル２３を介して直流電源を出力し、アンテナ１０のホットプラグ端子９よりマイコン１８及び増幅器１４の電源を供給する。
【００２０】
マイコン１８は、増幅器１４の検波器１９から出力される信号に従って指向性切替器１７に切替指令を出力すると共に、増幅器１４の利得を制御する。
【００２１】
指向性切替器１７は、マイコン１８からの切替指令に従ってアンテナ１１、１２をそれぞれ単独で使用したり、あるいは混合する等の切替動作を行なう。マイコン１８は、指向性切替器１７によりアンテナ１１、１２を切替えて指向性を可変し、最適に状態、例えばＣ／Ｎが最大値となるように保持する。
【００２２】
また、増幅器１４の出力信号がパソコン２０のチューナ２１に対して過入力になると、信号が歪む恐れがあるので、マイコン１８により増幅器１４の利得を調整する。また、Ｃ／Ｎが不足している場合には、Ｃ／Ｎ改善のために増幅器１４の利得が高くなるようにマイコン１８により制御する。
【００２３】
上記のようにアンテナ装置１０内にマイコン１８を設け、指向性切替器１７及び増幅器１４を制御することにより、電波の受信状態が変化しても、アンテナ１１、１２の指向性を最良な状態に保持できると共に、増幅器１４の利得を最良な状態に保持することができる。この結果、チューナ２１を最良な状態で動作させることが可能になる。
【００２４】
なお、上記第３実施形態では、増幅器１４に検波器１９を設け、その検波出力をマイコン１８に入力する場合について説明したが、その他、例えばチューナ２１から出力される復調信号あるいはＡＧＣ信号をマイコン１８に入力して指向性切替器１７及び増幅器１４を制御するようにしても良い。
【００２５】
（第４実施形態）
図４は、本発明の第４実施形態に係るアンテナ装置及びパソコンとの接続関係を示すブロック図である。
この第４実施形態は、図３に示した第３実施形態において、マイコン１８をパソコン２０からの制御指令に従って動作させるようにしたものである。この場合、パソコン２０は、ホットプラグ端子２２より信号ケーブル２３内の電源ライン及びアンテナ装置１０のホットプラグ端子９を介してマイコン１８及び増幅器１４の電源を供給すると共に、信号ケーブル２３内のコントロールラインを介してアンテナ装置１０内のマイコン１８へ指向性切替器１７及び増幅器１４に対する制御信号（下り信号）を送出する。
【００２６】
パソコン２０は、アンテナ１１、１２の指向性及び増幅器１４の利得を制御する制御プログラムを備えており、その制御プログラムに従って指向性切替器１７及び増幅器１４に対する制御信号をマイコン１８に送出する。すなわち、パソコン２０は、アンテナ１１、１２の指向性が最適な状態となるように、また、増幅器１４の利得が最良の状態となるように制御信号をマイコン１８に出力する。この場合、パソコン２０は、チューナ２１から出力される復調信号あるいはＡＧＣ信号に基づいて指向性切替器１７及び増幅器１４に対する制御信号をマイコン１８に出力するようにしても良い。
【００２７】
マイコン１８は、パソコン２０からの制御信号に従って指向性切替器１７に切替指令を出力すると共に、増幅器１４の利得を制御し、その制御結果に基づく上り信号をパソコン２０へ送出する。
【００２８】
上記指向性切替器１７は、マイコン１８からの切替指令に従ってアンテナ１１、１２の接続を切替え、アンテナ１１、１２をそれぞれ単独で使用したり、あるいは混合する等、アンテナ指向性を可変する。
【００２９】
上記のようにアンテナ装置１０内にマイコン１８を設け、パソコン２０からの制御指令に従って指向性切替器１７及び増幅器１４を制御することにより、電波の受信状態が変化しても、アンテナ１１、１２の指向性を最適な状態に保持できると共に、増幅器１４の利得を最良な状態に保持することができる。
【００３０】
（第５実施形態）
図５は、本発明の第５実施形態に係るアンテナ装置及びパソコンとの接続関係を示すブロック図である。
この第５実施形態は、図４に示した第４実施形態において、アンテナ１１、１２として同一周波数帯のものを使用すると共に、混合器１３に代えてダイバーシチィユニット１６を設けてダイバーシチィ受信を行なうように構成したものである。マイコン１８は、パソコン２０から送られてくる制御信号に従ってダイバーシチィユニット１６を制御し、最も大きなＣ／Ｎ値が得られるようにすると共に、増幅器１４の利得を最適値に制御する。
【００３１】
上記のようにアンテナ装置１０内にマイコン１８を設け、パソコン２０からの制御指令に従ってダイバーシチィユニット１６及び増幅器１４を制御することにより、電波の受信状態に応じてダイバーシチィの受信制御を高精度で行なってＣ／Ｎを向上できると共に増幅器１４の利得を常に最適値に保持できるので、屋内等の伝播状況の悪い環境においても常に最適な受信状態に保つことができる。
【００３２】
なお、上記第５実施形態においても、第４実施形態と同様にチューナ２１から出力される復調信号あるいはＡＧＣ信号をパソコン２０により検出してダイバーシチィユニット１６及び増幅器１４に対する制御信号をマイコン１８に出力するようにしても良い。
【００３３】
また、上記各実施形態では、アンテナ装置１０により受信した信号をノート形のパソコン２０に入力する場合について示したが、ノート形のパソコン２０に限定されるものではなく、その他、チューナを備えた任意のモバイル機器に対して実施し得るものである。
【００３４】
また、上記各実施形態では、パソコン２０内にチューナ２１を設けた場合について示したが、パソコン２０にチューナ２１を外付けした場合においても、同様にして実施し得るものである。
【００３５】
また、上記各実施形態では、パソコン２０側にチューナ２１を設けた場合について示したが、アンテナ装置１０側にチューナ２１を設けた構成としても良い。このようにアンテナ装置１０側にチューナ２１を設けた場合には、パソコン２０からホットプラグ端子２２及び信号ケーブル２３を介して送られてくる直流電源をチューナ２１に供給して動作させる。また、アンテナ装置１０には、チャンネル切替スイッチを設け、このチャンネル切替スイッチにより、チューナ２１のチャンネルが切替えられるようにする。また、第４実施形態及び第５実施形態に示したようにパソコン２０からの制御指令に従って動作するマイコン１８を備えている場合には、パソコン２０の操作によってチャンネルを切替え制御することができる。
【００３６】
上記のようにアンテナ装置１０側にチューナ２１を設けた場合、電源を供給する電子機器はチューナを備えていなくても、ＴＶ信号を受信することが可能になる。
【００３７】
【発明の効果】
以上詳記したように本発明によれば、モバイル機器である電子機器に設けられたホットプラグ端子を利用してアンテナ装置の増幅器に動作電源を供給することにより、アンテナ装置にＡＣアダプタを設ける必要がなく、このためアンテナの移動範囲を広くできると共にアンテナ装置の重量を著しく軽減して持ち運びが容易になる。また、アンテナ装置内にマイクロコンピュータ（マイコン）を設けることにより、指向性の制御や増幅器の利得制御を確実に行なうことが可能になる。
【図面の簡単な説明】
【図１】本発明の第１実施形態に係るアンテナ装置及びパソコンとの接続関係を示すブロック図。
【図２】本発明の第２実施形態に係るアンテナ装置及びパソコンとの接続関係を示すブロック図。
【図３】本発明の第３実施形態に係るアンテナ装置及びパソコンとの接続関係を示すブロック図。
【図４】本発明の第４実施形態に係るアンテナ装置及びパソコンとの接続関係を示すブロック図。
【図５】本発明の第５実施形態に係るアンテナ装置及びパソコンとの接続関係を示すブロック図。
【符号の説明】
９…ホットプラグ端子
１０…アンテナ装置
１１、１２…アンテナ
１３…混合器
１４…増幅器
１５…同軸ケーブル
１６…ダイバーシチィユニット
１７…指向性切替器
１８…マイコン
１９…検波器
２０…パソコン（パーソナルコンピュータ）
２１…チューナ
２２…ホットプラグ端子
２３…信号ケーブル
【図１】
2004072387.tif 000003
【図２】
2004072387.tif 000004
【図３】
2004072387.tif 000005
【図４】
2004072387.tif 000006
【図５】
2004072387.tif 000007